(57)【要約】【課題】  巻線をコアに密着させて巻回することが容易なコイルを提供する。【解決手段】  磁性体からなり巻線の延長方向に交差する方向に長い係合溝１１が外周面に設けられたコア１と、コア１の係合溝１１に係入しコア１とともに巻線が巻回される被係合部２１を有する台座２とを備える。台座２は、巻線が巻回される際に保持される直方体形状の被保持部２２を有する。係合溝１１に被係合部２１が係入することでコア１の台座２に対する回転が抑制されるから、巻線をコア１に巻回する際には被保持部２２を保持することでコア１の姿勢が安定するので、巻線をコア１に密着させて巻回することが容易である。【選択図】図１
2007173633.tif 000002
【特許請求の範囲】
【請求項１】
磁性体からなるコアに巻線が巻回されたコイルであって、
コアにおいて巻線が巻回される面には巻線の軸方向に延長された係合溝が設けられ、
係合溝に係合しコアとともに巻線が巻回される被係合部、並びに、巻線の軸方向での被係合部の両端にそれぞれ連結されコアに巻線が巻回される際に保持される被保持部を有する台座を備えることを特徴とするコイル。
【請求項２】
巻線の軸方向でのコアの両端面にはそれぞれ係合溝の深さ方向に長い凹部又は凸部からなる被ガイド部が設けられ、台座には係合溝を被係合部に誘導するように各被ガイド部をそれぞれガイドするガイド部が設けられていることを特徴とする請求項１記載のコイル。
【請求項３】
請求項１又は請求項２のいずれかに記載のコイルを用いたインダクタとトランスとの少なくとも一方を備えることを特徴とする放電灯点灯装置。
【発明の詳細な説明】
【技術分野】
【０００１】
本発明は、コイル及び該コイルを用いた放電灯点灯装置に関するものである。
【背景技術】
【０００２】
従来から、磁性体からなるコアと、コアの周囲に巻回された巻線とを有するコイルが提供されている。
【０００３】
従来のコイルは、コアが挿通される筒状のボビンを備え、巻線はボビンに巻回されていた（例えば、特許文献１参照）。
【特許文献１】特開平８−１３０１３５号公報
【発明の開示】
【発明が解決しようとする課題】
【０００４】
上記コイルにおいて効率を向上する方法として、ボビンを用いずにコアに直接巻線を巻回することにより巻線と磁性体とを密着させて磁気的な結合を強めるという方法がある。
【０００５】
コアに直接巻線を巻回する場合、巻線がコアの角によって断線しないように、コアは巻線が巻回される外周面に角を有さない円柱形状や楕円柱形状とすることが望ましい。しかし、円柱形状や楕円柱形状の磁性体は、巻線を巻回する際に回転しやすいため、巻線を密着させて巻回することが難しかった。
【０００６】
本発明は上記事由に鑑みて為されたものであり、その目的は、巻線をコアに密着させて巻回することが容易なコイルを提供することにある。
【課題を解決するための手段】
【０００７】
請求項１の発明は、磁性体からなるコアに巻線が巻回されたコイルであって、コアにおいて巻線が巻回される面には巻線の軸方向に延長された係合溝が設けられ、係合溝に係合しコアとともに巻線が巻回される被係合部、並びに、巻線の軸方向での被係合部の両端にそれぞれ連結されコアに巻線が巻回される際に保持される被保持部を有する台座を備えることを特徴とする。
【０００８】
この発明によれば、係合溝と被係合部との係合によってコアの台座に対する回転が抑制されるから、コアに巻線を巻回する際には台座の被保持部を保持することでコアの姿勢が安定するので、巻線をコアに密着させて巻回することが容易である。
【０００９】
請求項２の発明は、請求項１の発明において、巻線の軸方向でのコアの両端面にはそれぞれ係合溝の深さ方向に長い凹部又は凸部からなる被ガイド部が設けられ、台座には係合溝を被係合部に誘導するように各被ガイド部をそれぞれガイドするガイド部が設けられていることを特徴とする。
【００１０】
この発明によれば、係合部を容易に被係合部に係合させることができる。また、ガイド部と被ガイド部とにより、コアが台座に対してより回転しにくくなり、巻線をコアに密着させて巻回することがより容易となる。
【００１１】
請求項３の発明は、請求項１又は請求項２のいずれかに記載のコイルを用いたインダクタとトランスとの少なくとも一方を備えることを特徴とする。
【発明の効果】
【００１２】
本発明によれば、係合溝と被係合部との係合によってコアの台座に対する回転が抑制されるから、コアに巻線を巻回する際には台座の被保持部を保持することでコアの姿勢が安定するので、巻線をコアに密着させて巻回することが容易である。
【発明を実施するための最良の形態】
【００１３】
以下、本発明を実施するための最良の形態について、図面を参照しながら説明する。
【００１４】
本実施形態は、図２に示すように、磁性体からなり略円柱形状であって側面に巻線１０が巻回されるコア１を備える。コア１の材料としては、例えばニッケル−亜鉛合金や、マンガン−亜鉛合金を用いることができる。以下、上下方向は図２を基準とし、図２の左上−右下方向を左右方向と呼び、図２の左下−右上方向を前後方向と呼ぶ。
【００１５】
コア１の下端には、図１に示すように、巻線１０の軸方向たる左右方向の全長にわたって延長され左右両側に開放された係合溝１１が設けられている。また、本実施形態は、係合溝１１に全長にわたって係合する被係合部２１を有する台座２を有する。台座２の材料としては、例えばフェノール樹脂を用いることができる。台座２は、それぞれ略直方体形状であってコア１を左右両側から挟み巻線１０の巻回時に保持される２個の被保持部２２を有する。２個の被保持部２２は、被係合部２１の左右の端にそれぞれ連結されている。巻線１０は、係合溝１１に収納された被係合部２１の上から、巻線１０の延長方向をコア１の周方向として巻回される。ここで、被係合部２１は係合溝１１からコア１の径方向（下方）へは突出しない寸法形状としてある。従って、台座２の存在に関わらず、巻線１０をコア１に略全周にわたって密着させて巻回することができる。
【００１６】
また、被係合部２１の左右方向の中央の下側には、前後に長い分割部２３が設けられており、巻線１０は分割部２３の左右それぞれに巻回される。さらに、分割部２３の前後両端部には、一方ずつの巻線１０の一端が巻き付けられるピン２３ａが下方へ突設されている。また、各被保持部２２の上面には、それぞれ巻線１０の他端が巻きつけられるピン２２ａが上方へ突設されている。
【００１７】
さらに、コア１の両底面にはそれぞれ底面の中心を通過して係合溝１１の深さ方向たる上下方向に長く上下に開放されたガイド溝１２が設けられている。また、各被保持部２２においてコア１の底面に対向する面には、それぞれ上下に長くガイド溝１２に導入されるガイド突起２２ｂが突設されている。すなわち、ガイド溝１２にガイド突起２２ｂを導入することにより、被係合部２１が係合溝１１に導入される位置までコア１が台座２に対してガイドされる。
【００１８】
上記構成によれば、被係合部２１と係合溝１０との係合で台座２に対するコア１の回転が抑制されていることにより、コア１に巻線１０を巻回する際には台座２の被保持部２２を保持すればコア１の姿勢が安定するから、コア１に巻線１０を密着させて巻回することが容易である。
【００１９】
さらに、コア１に被ガイド部としてのガイド溝１２が設けられ、ガイド溝１１に導入されるガイド部としてのガイド突起２２ｂが台座２に設けられていることにより、コア１の軸周りでの回転が抑制されるから、図３及び図４のようにガイド溝１２やガイド突起２２ｂを設けない場合に比べ、台座２に対するコア１の姿勢がより安定するので、コア１への巻線１０の巻回がより容易となっている。
【００２０】
本実施形態は、例えば図５に示す放電灯点灯装置に用いることができる。
【００２１】
この放電灯点灯装置は、直流電源ＤＣの出力電圧を降圧するＤＣ−ＤＣコンバータ回路３と、放電灯Ｌａの始動時に高電圧を生成するイグナイタ回路４と、ＤＣ−ＤＣコンバータ回路３の出力を一定に維持する駆動・制御部５とを備える。
【００２２】
詳しく説明すると、ＤＣ−ＤＣコンバータ回路３は、直流電源ＤＣの出力端間に接続されるダイオードＤ１とスイッチング素子Ｑ１との直列回路と、ダイオードＤ１の両端間に接続されたインダクタＬ１とコンデンサＣ１との直列回路とを有する周知の降圧形コンバータである。駆動・制御部５は、ＤＣ−ＤＣコンバータ回路３の出力電流及び出力電圧を検出し、所定の電力が出力されるようにデューティ比を変化させながらスイッチング素子Ｑ１をオンオフ駆動する。
【００２３】
また、イグナイタ回路４は、ＤＣ−ＤＣコンバータ回路３のコンデンサＣ１の両端間に接続された抵抗Ｒ１と第１コンデンサＣ２との直列回路と、一端が抵抗Ｒ１と第１コンデンサＣ２との接続点に接続されたサイダックＳＳＳと、サイダックＳＳＳと１次巻線との直列回路が第１コンデンサＣ２の両端間に接続された昇圧トランスＴ１と、昇圧トランスＴ１の２次巻線の両端間に接続されたダイオードＤ２と第２コンデンサＣ３との直列回路と、この第２コンデンサＣ３の一端に接続された放電ギャップＳＧと、１次巻線が放電ギャップＳＧに直列に第２コンデンサＣ３の両端間に接続されたパルストランスＰＴとを備える。パルストランスＰＴの２次巻線は、放電灯Ｌａに直列に、ＤＣ−ＤＣコンバータ回路３のコンデンサＣ１の両端間に接続される。
【００２４】
図５の放電灯点灯装置の動作を説明する。電源が投入されると、まず抵抗Ｒ１を通じて第１コンデンサＣ２が充電される。第１コンデンサＣ２の充電電圧がサイダックＳＳＳのブレークオーバー電圧を超えると、サイダックＳＳＳがオンされ、第１コンデンサＣ２に蓄積された電荷が昇圧トランスＴ１の１次巻線を通じて放電される。すると、昇圧トランスＴ１の２次巻線に誘導電流が発生し、この誘導電流により第２コンデンサＣ３が充電される。そして、第２コンデンサＣ３の充電電圧が、放電ギャップＳＧのブレークオーバー電圧を超えると、放電ギャップＳＧにおいて放電が発生しパルストランスＰＴの１次巻線に急激に電流が流れ、パルストランスＰＴの２次巻線の両端間には高電圧が発生し、この高電圧によって放電灯Ｌａが始動する。ここで、抵抗Ｒ１の抵抗値は、サイダックＳＳＳがオンされて放電灯Ｌａが始動した後、サイダックＳＳＳに流れる電流が速やかに保持電流以下となるように設定されている。放電灯Ｌａの始動後は、ＤＣ−ＤＣコンバータ回路３からパルストランスＰＴの２次巻線を介して放電灯Ｌａに電力が供給される。
【００２５】
本実施形態が使用される放電灯点灯装置の回路の別の例を図６に示す。この回路は、基本的な構成は図５の回路と共通であって、４個のスイッチング素子Ｑ２〜Ｑ５からなるフルブリッジ回路により放電灯Ｌａに交流電流を供給する点と、パルストランスＰＴに１次巻線と２次巻線とが２組設けられて１次巻線が互いに並列に接続され２次巻線が放電灯Ｌａの両側に分けて配置されている点と、放電灯ＬａとパルストランスＰＴの２次巻線との直列回路に並列にコンデンサＣ４が接続されている点とが図５の回路と異なる。放電灯ＬａとパルストランスＰＴの２次巻線との直列回路は、それぞれＤＣ−ＤＣコンバータ回路３のコンデンサＣ１の両端間に接続されたスイッチング素子Ｑ２，Ｑ３の接続点とスイッチング素子Ｑ４，Ｑ５の接続点との間に接続されている。スイッチング素子Ｑ２〜Ｑ５は、駆動・制御部５により、互いに対角に位置するスイッチング素子Ｑ２〜Ｑ５が同時に且つ互いに直列に接続されたスイッチング素子Ｑ２〜Ｑ５が交互にオンオフするように駆動される。
【００２６】
本実施形態は、図５及び図６の回路において、インダクタＬ１やトランスＴ１やパルストランスＰＴに適用することができる。
【図面の簡単な説明】
【００２７】
【図１】本発明の実施形態におけるコアと台座とを示す分解斜視図である。
【図２】同上を示す斜視図である。
【図３】同上の比較例を示す分解斜視図である。
【図４】同上の比較例を示す斜視図である。
【図５】本発明の実施形態が用いられる放電灯点灯装置の一例を示す回路図である。
【図６】本発明の実施形態が用いられる放電灯点灯装置の別の例を示す回路図である。
【符号の説明】
【００２８】
１  コア
２  台座
１１  係合溝
１２  ガイド溝
２１  被係合部
２２  被保持部
２２ｂ  ガイド突起
Ｌ１  インダクタ
ＰＴ  パルストランス
Ｔ１  昇圧トランス
【図１】
2007173633.tif 000003
【図２】
2007173633.tif 000004
【図３】
2007173633.tif 000005
【図４】
2007173633.tif 000006
【図５】
2007173633.tif 000007
【図６】
2007173633.tif 000008